【手続補正書】
【提出日】平成16年11月12日(2004.11.12)
【手続補正１】
【補正対象書類名】明細書
【補正対象項目名】特許請求の範囲
【補正方法】変更
【補正の内容】
【特許請求の範囲】
【請求項１】
データ放送に係るコンテンツを受信して記憶装置に記憶させる記憶制御手段と、前記記憶装置に記憶されたコンテンツを表示装置に表示させる表示制御手段とを有するデータ放送受信再生装置において、
前記表示制御手段は、前記記憶装置に記憶された所定のコンテンツに係る画像データが前記表示装置の表示画面に実物のサイズを反映した形で表示されるように、少なくとも該表示画面のサイズ及び縦横比と、該画像データの基準表示サイズとに基づいて決定した拡大・縮小率で該画像データを拡大・縮小する拡大・縮小手段を有することを特徴とするデータ放送受信再生装置。
【請求項２】
前記拡大・縮小手段は、前記表示画面のサイズ及び縦横比と、前記画像データの基準表示サイズと、前記記憶装置のサイズとに基づいて決定した拡大・縮小率で該画像データを拡大・縮小することを特徴とする請求項１に記載のデータ放送受信再生装置。
【請求項３】
前記表示画面のサイズ、基準表示サイズ、記憶装置のサイズは、解像度で示されることを特徴とする請求項１又は２に記載のデータ放送受信再生装置。
【請求項４】
前記拡大・縮小手段は、前記決定した拡大率が所定の値を超える場合は、該拡大・縮小手段により拡大された画像データの一部分に対して前記拡大処理を行うことを特徴とする請求項１〜３の何れかに記載のデータ放送受信再生装置。
【請求項５】
前記拡大・縮小手段は、前記決定した拡大率で前記画像データを拡大した場合のサイズが、前記表示装置の表示画面を所定の割合以上占有するサイズである場合は、該拡大・縮小手段により拡大された画像データの一部分に対して前記拡大処理を行うことを特徴とする請求項１〜４の何れかに記載のデータ放送受信再生装置。
【請求項６】
前記所定のコンテンツに係る画像データは、データカルーセル伝送方式で放送されてくる静止画データであることを特徴とする請求項１〜５の何れかに記載のデータ放送受信再生装置。
【請求項７】
前記所定のコンテンツに係る画像データは、データストリーム伝送方式で放送されてくる動画データであることを特徴とする請求項１〜５の何れかに記載のデータ放送受信再生装置。
【請求項８】
前記所定のコンテンツに係る画像データは、データ放送ショッピングにおける商品の画像データであることを特徴とする請求項１〜７の何れかに記載のデータ放送受信再生装置。
【請求項９】
前記表示制御手段は、前記拡大・縮小手段により拡大・縮小された画像データと共に放送番組に係る動画データを同一画面に表示する際に、該動画データの表示サイズを該拡大・縮小された画像データのサイズに基づいて決定する決定手段を有することを特徴とする請求項１〜８の何れかに記載のデータ放送受信再生装置。
【請求項１０】
前記所定のコンテンツに係る画像データの基準表示サイズ、及び前記表示制御手段による表示制御処理の手順は、データ放送装置からトランスポートストリームの一部として放送されてくることを特徴とする請求項１〜９の何れかに記載のデータ放送受信再生装置。
【請求項１１】
前記所定のコンテンツに係る画像データの基準表示サイズは、データ放送装置からトランスポートストリームの一部として放送され、前記表示制御手段による表示制御処理の手順は、前記データ放送受信再生装置に予め担持されていることを特徴とする請求項１〜９の何れかに記載のデータ放送受信再生装置。
【請求項１２】
前記所定のコンテンツに係る画像データの基準表示サイズは、マークアップ言語を用いて記述され、前記表示制御手段による表示制御処理の手順は、スクリプト言語で記述されていることを特徴とする請求項１〜１１の何れかに記載のデータ放送受信再生装置。
【請求項１３】
データ放送に係るコンテンツを受信して記憶装置に記憶させる記憶制御処理と、該コンテンツを表示装置に表示させる表示制御処理とを行うデータ放送受信再生装置の制御方法において、
前記表示制御処理は、前記記憶装置に記憶された所定のコンテンツに係る画像データが前記表示装置の表示画面に実物のサイズを反映した形で表示されるように、少なくとも該表示画面のサイズ及び縦横比と、該画像データの基準表示サイズとに基づいて決定した拡大・縮小率で該画像データを拡大・縮小する拡大・縮小処理を含むことを特徴とするデータ放送受信再生装置の制御方法。
【請求項１４】
データ放送に係るコンテンツを放送するデータ放送装置と、該データ放送装置から放送されてきた前記データ放送に係るコンテンツを受信して表示装置に再生表示するデータ放送受信再生装置とを有するデータ放送システムであって、
前記データ放送装置は、所定のコンテンツに係る画像データが前記表示装置の表示画面に実物のサイズを反映した形で表示されるように、少なくとも該表示画面のサイズ及び縦横比と、該画像データの基準表示サイズとに基づいて決定した拡大・縮小率で該画像データを拡大・縮小する拡大・縮小処理の手順を記述したテキスト情報を含むトランスポートストリームを放送する放送手段を有し、
前記データ放送受信再生装置は、前記所定のコンテンツに係る画像データ記憶装置に記憶させ、前記記憶装置に記憶された該画像データに対して前記拡大・縮小処理の手順に従って拡大・縮小処理を施す拡大・縮小処理実行手段を有することを特徴とするデータ放送システム。
【請求項１５】
データ放送に係るコンテンツを放送するデータ放送装置と、該データ放送装置から放送されてきた前記データ放送に係るコンテンツを受信して表示装置に再生表示するデータ放送受信再生装置とを有するデータ放送システムであって、
前記データ放送装置は、所定のコンテンツに係る画像データと、該画像データの基準表示サイズを少なくとも記述したテキスト情報とを含むトランスポートストリームを放送する放送手段を有し、
前記データ放送受信再生装置は、前記所定のコンテンツに係る画像データを記憶装置に記憶させる記憶制御手段と、該画像データが前記表示装置の表示画面に実物のサイズを反映した形で表示されるように、少なくとも該表示画面のサイズ及び縦横比と、該画像データの前記基準表示サイズとに基づいて決定した拡大・縮小率で該画像データを拡大・縮小する拡大・縮小処理の手順を記述した制御プログラムを予め担持する担持手段と、該記憶装置に記憶された該画像データに対して前記制御プログラムに基づいて拡大・縮小処理を施す拡大・縮小処理実行手段を有することを特徴とするデータ放送システム。
【請求項１６】
所定のコンテンツに係る画像データが受信機の表示装置の表示画面に実物のサイズを反映した形で表示されるように、少なくとも該表示画面のサイズ及び縦横比と、該画像データの基準表示サイズとに基づいて決定した拡大・縮小率で該画像データを拡大・縮小する拡大・縮小処理の手順を記述したテキスト情報を含むトランスポートストリームを放送する放送手段を有することを特徴とするデータ放送装置。
【請求項１７】
受信機側で、所定のコンテンツに係る画像データが該受信機の表示装置の表示画面に実物のサイズを反映した形で表示されるように、少なくとも該表示画面のサイズ及び縦横比と、該画像データの前記基準表示サイズとに基づいて決定した拡大・縮小率で該画像データを拡大・縮小させるべく、該所定のコンテンツに係る画像データと、該画像データの基準表示サイズを少なくとも記述したテキスト情報とを含むトランスポートストリームを放送する放送手段を有することを特徴とするデータ放送装置。
【請求項１８】
データ放送ショッピングに係る商品の画像データが受信機の表示装置の表示画面に実物の該商品のサイズを反映した形で表示されるように、少なくとも該表示画面のサイズ及び縦横比と、該画像データの基準表示サイズとに基づいて決定した拡大・縮小率で該商品の画像データを拡大・縮小して表示することを特徴とするデータ放送ショッピングにおける商品表示方法。
【請求項１９】
データ放送に係るコンテンツを受信して表示装置に再生表示するデータ放送受信再生装置により実行される制御プログラムであって、
所定の前記コンテンツに係る画像データが前記表示装置の表示画面に実物のサイズを反映した形で表示されるように、少なくとも該表示画面のサイズ及び縦横比と、該画像データの基準表示サイズとに基づいて決定した拡大・縮小率で該画像データを拡大・縮小する内容を有することを特徴とする制御プログラム。